(57)【特許請求の範囲】
【請求項１】
プラスチックフィルムから成る包装容器、特にその上端部で閉鎖可能なバッグ、袋またはこれに類するものであって、容器の輪郭内に配置された持ち運び用取っ手を備えている形式のものにおいて、持ち運び用取っ手として取っ手ベルト（２）が設けられており、該取っ手ベルト（２）が容器壁（１）の内側に配置されていて、その両端部の範囲で容器壁（１）に結合されており、さらに取っ手ベルト（２）が、容器壁（１）に設けられた手入れ開口（５）を通じて外部から手を入れて把持され得るようになっており、該手入れ開口（５）が、当該包装容器の充填室に対して、プラスチックフィルムから成るラベル状の支持片（６）により閉鎖されており、該支持片（６）が容器壁（１）に結合されており、取っ手ベルト（２）が前記支持片（６）に取り付けられていることを特徴とする、プラスチックフィルムから成る包装容器。
【請求項２】
前記支持片（６）が、その外縁部に沿って一貫して容器壁（１）の内側に結合されている、請求項１記載の包装容器。
【請求項３】
容器壁（１）に設けられた手入れ開口（５）が、パーフォレーションライン（８）により輪郭付けされて準備されていて、該パーフォレーションライン（８）により取り囲まれた壁範囲（９）を裂き開くことによって開放可能である、請求項１または２記載の包装容器。
【請求項４】
裂き開きたい壁範囲（９）の把持を容易にするために掛込み開口（１０）が設けられている、請求項３記載の包装容器。
【請求項５】
容器壁（１）が複合フィルムから成っており、該複合フィルムの内側層が、ヒートシール可能な熱可塑性のプラスチック、特にポリエチレン（ＰＥ）から成っており、外側層がポリエステル（ＰＥＴ）から成っている、請求項１から４までのいずれか１項記載の包装容器。
【請求項６】
取っ手ベルト（２）が熱可塑性のプラスチックフィルムから成っているか、または熱可塑性のプラスチックフィルムとポリエステルとからの複合フィルムから成っていて、容器壁（１）もしくは前記支持片（６）に接着されているか、またはヒートシールシームによって結合されている、請求項１から５までのいずれか１項記載の包装容器。
【請求項７】
前記支持片（６）が熱可塑性のプラスチックフィルムから成っていて、取っ手ベルト（２）と一貫して接着されており、ただし取っ手ベルト（２）の取っ手ループ部分（４）の範囲は、前記支持片（６）に被着された分離ラッカ（１１）により付着力が著しく減じられている、請求項１から６までのいずれか１項記載の包装容器。
【請求項８】
前記支持片（６）が容器壁（１）の内側層にヒートシールシーム（７）により結合されている、請求項５から７までのいずれか１項記載の包装容器。
【請求項９】
当該包装容器が、上縁部で再閉鎖可能な、特にサイドガゼットおよび／または自立底を備えた袋として形成されており、取っ手ベルト（２）が、閉鎖装置の近傍で当該包装容器の上縁部に配置されている、請求項１から８までのいずれか１項記載の包装容器。
【発明の詳細な説明】
【技術分野】
【０００１】
本発明は、プラスチックフィルムから成る包装容器、特にその上端部で閉鎖可能なバッグ、袋またはこれに類するものであって、容器の輪郭内に配置された持ち運び用取っ手を備えている形式のものに関する。
【０００２】
このような形式の公知の包装容器では、ヒートシールシームによって内室からコーナ（角隅）範囲が分割されていて、このコーナ範囲に取っ手開口が切り欠かれている。このような構成は包装容器の充填スペースを減少させてしまうと同時に、持ち運び用取っ手が包装容器の充填および排出を妨げないようにするために持ち運び用取っ手の配置可能性をコーナ範囲に限定してしまう。
【０００３】
多層の材料から成る、上側で開いた袋の場合、取っ手ループを設けることが知られている。この取っ手ループは容器の上縁部を超えてはみ出していて、ループの取付け端部は上縁範囲に位置する容器壁の各層の間に位置固定されている。持ち運び用取っ手のこのような構成は、取っ手ループのはみ出しに基づき袋の取扱い性を損なう。さらに、このような構成の使用可能性は、上縁部に閉鎖手段を有しない袋構成またはバッグ構成に限定されている。
【０００４】
バルブバッグ（Ventilsack）の場合には、バッグ底部に持ち運び用取っ手を設けることが知られている。この持ち運び用取っ手は、取っ手ベルトを支持する底部シートを有している。このような持ち運び用取っ手構成は、上縁部が充填後に閉鎖可能であり、しかもたとえば上縁部が再閉鎖のための縁部閉鎖装置を備えているような容器のためには不適当である。
【０００５】
本発明が解決しようとする問題点は、冒頭で述べた形式の包装容器を改良して、簡単に取り付けられ得ると同時に、スタンドに似た向きでの容器の持ち運びを可能にし、しかも閉鎖・再閉鎖装置のために容器の上縁範囲を空けるような持ち運び用取っ手を備えた包装容器を提供することである。
【０００６】
この問題は本発明によれば、請求項１の特徴部に記載の特徴を有する包装容器により解決される。本発明の別の有利な構成に関しては、請求項２〜請求項１０に記載されている。
【０００７】
本発明による包装容器では、取っ手ベルトが、容器の側壁に沿って延びる機能部分を形成しており、この機能部分は視覚的に目立たず、包装容器の便利な持ち運びを可能にすると共に、容器のヘッド範囲を閉鎖および再閉鎖のために空けている。この場合、持ち運び用取っ手は製造にとって好都合に取付け可能となる。包装容器の側壁の内側に取っ手ベルトが取り付けられると、持ち運び用取っ手は視覚的に特に目立たなくなる。取っ手ベルトへの手入れ開口がさしあたりまだ閉鎖されていて、予めパーフォレーション（目打ち）された壁範囲を裂き開いた後でしか開放可能でないので、持ち運び用取っ手はその使用時にまでも視覚的には完全に隠されていてよい。これにより、持ち運び用取っ手を気にすることなく容器側壁の外面のデザインを行うことができる。
【０００８】
本発明のさらに別の構成および作用は、以下の説明および図面から明らかとなる。図面には、本発明の対象の複数の実施例が概略的に図示されている。
【０００９】
図１は、容器側壁の外側に配置された、容器側壁の上側の範囲に結合された取っ手ベルトを備えた、本発明による包装容器の側壁の一部を示す平面図であり、
図２は、図１に示した取っ手ベルトの縦断面図であり、
図３は、持ち運び用取っ手構成の有利な第２実施例を示す、図１と同様の図であり、  図４は、持ち運び用取っ手範囲を、パーフォレーションにより輪郭付けされた、あとから手入れ開口を開放する壁範囲の裂き開き.前の状態で示す、図３と同様の図であり、
図５は、図３に示した包装容器の第３の構成を示す、図４と同様の図であり、
図６は、図５に示した持ち運び用取っ手範囲の一部を示す横断面図である。
【００１０】
図１には、本発明による包装容器の側壁範囲の一部が図示されている。この側壁範囲は容器の上縁部の近傍に配置されていると有利である。プラスチックフィルムから形成された包装容器は、有利には平袋またはサイドガゼット袋として形成されていて、平底または成形底を備えている。この包装容器の上縁部は、充填物の部分量の取出し後に包装容器を再閉鎖するための閉鎖装置を有していると有利である。
【００１１】
バッグとして形成されていてもよい前記包装容器の、観察者に面した表側１（または裏側）には、取っ手ベルト２が取り付けられている。この取っ手ベルト２の両端部の範囲は容器壁１に結合されていて、材料に応じて接着されているか、または封着（aufsiegeln）されている。容器フィルムは少なくとも外側でポリエステル（ＰＥＴ）から成っていると有利である。その場合、取っ手ベルト２は接着剤３によって接着されている。実際の使用時には、取っ手ベルト２は容器壁１の外面と面一になるように容器壁１に載着されており、そして持ち運び目的のために取っ手ループ部分４の範囲で容器壁１の外面から持ち上げられ得る。
【００１２】
図３に示した構成では、取っ手ベルト２が容器壁１の内面に取り付けられている。この取っ手ベルト２は容器壁１に設けられた、適合された手入れ開口５を通じて外部から手を入れて把持され得るようになっている。この場合、取っ手ベルト２はプラスチックフィルムから成るラベル状の支持片（Traegerzettel）６に取り付けられている。この支持片６は取っ手ベルト２に裏側で背後から係合していて、同じく容器壁１に結合されている。支持片６は有利にはその外縁部に沿って一貫して容器壁１の内面に結合されているので、こうして手入れ開口５は包装容器の充填室に対して閉鎖されている。
【００１３】
ラベル状の支持片６は熱可塑性のプラスチックフィルムから成っていると有利である。この熱可塑性のプラスチックフィルムは取っ手ベルト２と一貫して接着されていてよいが、しかし取っ手ベルト２の取っ手ループ部分４の範囲では、支持片６に被着された分離ラッカ１１によって付着力が著しく低減されており、この場合、取っ手ループ部分４は困難なく支持片６から剥離され得るようになる。両端範囲においてのみ、接着剤３はそれぞれ固い結合を形成する。ヒートシール可能な熱可塑性のプラスチック、特にポリエチレン（ＰＥ）から成る内側層と、ポリエステル（ＰＥＴ）から成る外側層とを備えたプラスチック複合フィルムから成る包装容器の有利な構成では、斜線で示したヒートシールシーム７により象徴化して図示されているように、支持片６が容器壁１の内側層にヒートシールにより結合されると有利である。
【００１４】
取っ手ベルト２自体は熱可塑性のプラスチックフィルムまたは熱可塑性のプラスチックとポリエステルとからの複合フィルムから成っていてよい。したがって、支持片６と取っ手ベルト２とをヒートシールにより互いに結合することも可能である。
【００１５】
図３に示した持ち運び用取っ手の構成では、取っ手ベルト２の取っ手ループ部分４が、その寸法に関して取っ手ベルト２の取っ手ループ部分４に調和された手入れ開口５を通じて目に見えるようになっており、そして必要に応じて持ち運び目的のために手を入れて把持可能となる。
【００１６】
図４に示した構成では、取っ手ベルト２のための手入れ開口５が容器壁１でパーフォレーションライン（目打ち線）８により準備されている。この場合、手入れ開口５は、パーフォレーションライン８によって取り囲まれた壁範囲９を裂き開くことによってしか開放可能でない。裂き開きたい壁範囲９の把持を容易にするためには、たとえば指を掛け込むための掛込み開口１０が設けられていてよい。その場合、この掛込み開口１０はパーフォレーションライン８を設ける際に打抜き加工される。
【００１７】
これに相応して、図５および図６から判るように、パーフォレーションライン８によって取り囲まれた壁範囲９が裂き開きによって取り除かれて手入れ開口５が露出されるまで、取っ手ベルト２は容器壁１の背後に完全に隠されている。取っ手ベルト２の端範囲はこの構成の場合にも接着剤３によってラベル状の支持片６に固く結合されている。
【００１８】
図５および図６に示した構成では、接着範囲１２により象徴化されて図示されているように、支持片６が容器壁１の内面に、たとえば接着により結合されている。
【００１９】
最後に念のため付言しておくと、図面における包装容器の描写は実際の状況を概略的に表しているに過ぎない。特にフィルムおよび接着範囲の厚さ寸法は図面を見易くするという理由から誇張して大きく描かれている。この厚さ寸法は実際に形成された包装容器では、μｍ範囲で変動する。
【図面の簡単な説明】
【００２０】
【図１】容器側壁の外側に配置された、容器側壁の上側の範囲に結合された取っ手ベルトを備えた、本発明による包装容器の側壁の一部を示す平面図である。
【図２】図１に示した取っ手ベルトの縦断面図である。
【図３】持ち運び用取っ手構成の有利な第２実施例を示す、図１と同様の図である。
【図４】持ち運び用取っ手範囲を、パーフォレーションにより輪郭付けされた、あとから手入れ開口を開放する壁範囲の裂き開き.前の状態で示す、図３と同様の図である。
【図５】図３に示した包装容器の第３の構成を示す、図４と同様の図である。
【図６】図５に示した持ち運び用取っ手範囲の一部を示す横断面図である。
【図１】
0004621669.tif 000002
【図２】
0004621669.tif 000003
【図３】
0004621669.tif 000004
【図４】
0004621669.tif 000005
【図５】
0004621669.tif 000006
【図６】
0004621669.tif 000007